(57)【特許請求の範囲】
【請求項１】
ＭＢＭＳのマルチセル伝送方式に用いる資源指示方法において、
ＭＢＭＳサービスの特徴に基づき、一スケジューリング周期内に前記ＭＢＭＳサービスに実際に必要されるサブフレームの数である第１の数を取得し、
ＭＳＡＰ指示方法で指示可能なサブフレームの数のうち前記第１の数以上の最小値である第２の数のＭＢＭＳデータ伝送用の初期サブフレームを指示するためのＭＳＡＰ指令を、前記第１の数に基づいて特定し、
前記第１の数が前記第２の数より小さいとき、前記第２の数と前記第１の数との差分である第３の数の過指示サブフレームを前記初期サブフレームの中から選択し、選択の結果に基づいて、前記過指示サブフレームの位置を指示する補正指令を生成し、
前記ＭＳＡＰ指令と補正指令を受信側に送信し、スケジューリング周期内に最終的にＭＢＭＳデータの伝送に用いられるサブフレームが前記初期サブフレームのうち前記過指示サブフレーム以外のサブフレームとなるように前記受信側に指示することを特徴とする資源指示方法。
【請求項２】
前記補正指令は、ブロードキャストチャネル又はＭＣＣＨを介して前記受信側に送信されることを特徴とする請求項１に記載の資源指示方法。
【請求項３】
第３の数の過指示サブフレームを前記初期サブフレームの中から選択し、選択の結果に基づいて、前記過指示サブフレームの位置を指示する補正指令を生成することは、
第３の数の過指示サブフレームを前記初期サブフレームの中から任意に選択することと、
選択した過指示サブフレームの位置を特定することと、
各前記過指示サブフレームが位置する無線フレームの番号及び各前記過指示サブフレームの無線フレームにおける番号を含む第１の補正指令を生成することと、を含むことを特徴とする請求項２に記載の資源指示方法。
【請求項４】
第３の数の過指示サブフレームを前記初期サブフレームの中から選択し、選択の結果に基づいて、前記過指示サブフレームの位置を指示する補正指令を生成することは、
前記過指示サブフレームが連続的に分布している前記初期サブフレームの中から第３の数の過指示サブフレームを選択することと、
前記第３の数、第１個の過指示サブフレームが位置する無線フレームの番号である第１の番号、及び前記第１個の過指示サブフレームの無線フレームにおける番号である第２の番号を含む第４の補正指令を生成することと、を含むことを特徴とする請求項２に記載の資源指示方法。
【請求項５】
第３の数の過指示サブフレームを前記初期サブフレームの中から選択し、選択の結果に基づいて、前記過指示サブフレームの位置を指示する補正指令を生成することは、
第３の数のサブフレームを選択することと、第５の補正指令を生成することと、を含み、
第３の数のサブフレームを選択することは、第３の数のサブフレームを過指示サブフレームとして前記初期サブフレームの中から選択することであり、
該過指示サブフレームが、前記ＭＳＡＰ指令で指示する無線フレームのうち最後の第４の数個の無線フレームの中に分布し、各前記第４の数個の無線フレームの中には、前記初期サブフレームの最後の第５の数個のサブフレームが過指示サブフレームであり、前記第４の数と第５の数との積が第３の数であり、
第５の補正指令を生成することは、第４の数と第５の数とを含む第５の補正指令を生成することであることを特徴とする請求項２に記載の資源指示方法。
【請求項６】
第３の数の過指示サブフレームを前記初期サブフレームの中から選択し、選択の結果に基づいて、前記過指示サブフレームの位置を指示する補正指令を生成することは、
前記初期サブフレームの中から、後ろから前への順番又は前から後ろへの順番に従い第３の数のサブフレームを過指示サブフレームとして順に選択することと、
前記第３の数を含む第６の補正指令を生成することと、を含むことを特徴とする請求項２に記載の資源指示方法。
【請求項７】
ＭＢＭＳのマルチセル伝送方式に用いるエンハンスド基地局において、
ＭＢＭＳサービスの特徴に基づき、一スケジューリング周期内に前記ＭＢＭＳサービスに実際に必要されるサブフレームの数である第１の数を取得する第１数特定モジュールと、
ＭＳＡＰ指示方法で指示可能なサブフレームの数のうち前記第１の数以上の最小値である第２の数のＭＢＭＳデータ伝送用の初期サブフレームを指示するためのＭＳＡＰ指令を、前記第１の数に基づいて特定する第１指令生成モジュールと、
前記第１の数が前記第２の数より小さいとき、前記第２の数と前記第１の数との差分である第３の数の過指示サブフレームを前記初期サブフレームの中から選択し、選択の結果に基づいて、前記過指示サブフレームの位置を指示する補正指令を生成する第２指令生成モジュールと、
前記ＭＳＡＰ指令と補正指令を受信側に送信し、スケジューリング周期内に最終的にＭＢＭＳデータの伝送に用いられるサブフレームが前記初期サブフレームのうち前記過指示サブフレーム以外のサブフレームとなるように前記受信側に指示する送信モジュールと、
前記初期サブフレームのうち前記過指示サブフレーム以外のサブフレームを利用して前記ＭＢＭＳサービスを処理するサービス処理モジュールと、を含むことを特徴とするエンハンスド基地局。
【請求項８】
前記補正指令は、ブロードキャストチャネル又はＭＣＣＨを介して前記受信側に送信されることを特徴とする請求項７に記載のエンハンスド基地局。
【請求項９】
前記第２指令生成モジュールは、
第３の数の過指示サブフレームを前記初期サブフレームの中から任意に選択する手段と、
選択した過指示サブフレームの位置を特定する手段と、
各前記過指示サブフレームが位置する無線フレームの番号及び各前記過指示サブフレームの無線フレームにおける番号を含む第１の補正指令を生成する手段と、を含むことを特徴とする請求項８に記載のエンハンスド基地局。
【請求項１０】
前記第２指令生成モジュールは、
前記過指示サブフレームが連続的に分布している前記初期サブフレームの中から第３の数の過指示サブフレームを選択する手段と、
前記第３の数、第１個の過指示サブフレームが位置する無線フレームの番号である第１の番号、及び前記第１個の過指示サブフレームの無線フレームにおける番号である第２の番号を含む第４の補正指令を生成する手段と、を含むことを特徴とする請求項８に記載のエンハンスド基地局。
【請求項１１】
前記第２指令生成モジュールは、
第３の数のサブフレームを過指示サブフレーム（該過指示サブフレームが、前記ＭＳＡＰ指令で指示する無線フレームのうち最後の第４の数個の無線フレームの中に分布し、各前記第４の数個の無線フレームの中には、前記初期サブフレームの最後の第５の数個のサブフレームが過指示サブフレームであり、前記第４の数と第５の数との積が第３の数である）として前記初期サブフレームの中から選択する手段と、
前記第４の数と第５の数とを含む第５の補正指令を生成する手段と、を含むことを特徴とする請求項８に記載のエンハンスド基地局。
【請求項１２】
前記第２指令生成モジュールは、
前記初期サブフレームの中から、後ろから前への順番又は前から後ろへの順番に従い第３の数のサブフレームを過指示サブフレームとして順に選択する手段と、
前記第３の数を含む第６の補正指令を生成する手段と、を含むことを特徴とする請求項８に記載のエンハンスド基地局。
【発明の詳細な説明】
【技術分野】
【０００１】
本発明は、ＭＢＭＳ（Multimedia  Broadcast/Multicast  System）に関し、特に、資源指示方法及びエンハンスド基地局に関する。
【背景技術】
【０００２】
ＬＴＥ（Long  Term  Evolution）システムでは、ＭＢＭＳはエンハンスドＭＢＭＳ（ＥＭＢＭＳ）といわれる。ＥＭＢＭＳでは、マルチセル（Multi-cell）伝送方式とシングルセル（Single-cell）伝送方式の二種類の伝送方式が定義されている。
【０００３】
マルチセル伝送は、マルチセルの情報合併をサポートし、同期伝送が可能である。このような方式は、ＭＢＳＦＮ（Multicast/Broadcast  Single  Frequency  Network）といわれる。ブロードキャストシステムにおいて、ＳＦＮ方式は広範に利用されており、複数の異なる送信機を介して、同一の周波数資源と同一の時間に同一の信号を送信する。このような送信方式により、マルチセル間の情報は合併可能となり、それによりブロードキャストの周波数スペクトル利用効率を向上させる。ＭＢＳＦＮのチャネル構造は、図１に示すようになっており、図１にはＭＢＳＦＮの論理チャネル、伝送チャネル及び物理的チャネルが示されており、図１を参照して次のように説明する。
【０００４】
一つのＭＢＭＳサービス（例えばＢＴＶ‐１の番組）は一つの論理チャネルに対応し、一つ又は複数の論理チャネルＭＴＣＨは同一の伝送チャネルＭＣＨにマッピングすることができると仮定する。すなわち、複数のＭＢＭＳのサービスに一束の資源（Bundle  Bit  Rate）を割当て、該複数のサービスが該一束の資源を共有する。多重化ゲインを取得することはその主なメリットである。
【０００５】
一つのＭＣＨが占める資源は、ＭＳＡＰ（ＭＣＨ  Subframe  Allocation  Pattern）により表される。
【０００６】
図１を参照しながら次の例を挙げる。ＭＳＡＰ = {#１RF (#２ and #８ sub frame), #１２ RF (#２, #３ and #７ sub frame), #２２RF(# ３ and #９ sub frame)}の場合、一つのスケジューリング周期（ＳＰ）内に、第１個の無線フレームＲＦ、第１２個の無線フレーム及び第２２個の無線フレームのいずれにはＭＣＨの資源を含むことを示す。サブフレームまで具体的に言うと、第１個の無線フレームの第２個、第８個のサブフレームはＭＢＭＳデータを伝送するためのものであり、第１２個の無線フレームの第２個、第３個及び第７個のサブフレームはＭＢＭＳデータを伝送するためのものである。
【０００７】
３ＧＰＰの定義に準じると、スケジューリング周期毎に、システムがＭＳＡＰを一回ブロードキャストすることが必要される。一つのスケジューリング周期（３２０ｍｓ）は３２個の無線フレームを含み、各無線フレームには１０個のサブフレームを含む。そのうち、＃０、＃４、＃５及び＃９のサブフレームはＭＢＭＳデータの伝送に用いることができない。即ち、各スケジューリング周期には、３２*６＝１９２Ｂｉｔ個の、ＭＢＭＳデータの伝送に利用可能なサブフレームを含む。
【０００８】
正確に指示するには、最も簡単な方法は、ビットマップの形式を用いることであり、ＭＢＭＳデータ伝送用のサブフレームである場合１で指示し、逆の場合０で指示する。こうなると、必要とするシグナリングオーバヘッドは１９２／３２０ｍｓ＝６００ｂｐｓとなる。
【０００９】
明らかに、上記のシグナリングオーバヘッドが比較的に大きいものである。指示用のシグナリングオーバヘッドを低減するために、３ＧＰＰのRelease  ８では、ＭＳＡＰの指示方法に対して次の定義をしている。
【００１０】
MBSFN-SubframeConfiguration ::=        SEQUENCE (SIZE
(１..maxMBSFN-Allocations)) OF SEQUENCE { 
radioframeAllocationPeriod                      ENUMERATED {n１, n２, n４, n８, n１６, n３２},
radioframeAllocationOffset                      INTEGER (０..７),
subframeAllocation                      CHOICE {
oneFrame                        BIT STRING (SIZE(６)),
fourFrames                      BIT STRING (SIZE(２４))
}
MBSFN-SubframeConfigurationは、ＭＢＳＦＮに割り当てるすべてのサブフレームを示し、即ちＭＳＡＰである。
【００１１】
この情報は、システム情報のＳＩＢ２（System Information Type２）に含まれており、ブロードキャストチャネルＢＣＣＨにより伝送される。
【００１２】
以下、MBSFN-SubframeConfigurationの設置を例示する。
【００１３】
radioframeAllocationPeriod = n４
radioframeAllocationOffset = ０,  
subframeAllocation = CHIOCE {oneFrame {１０１１００}} 
上記設置から示されることとして、一つのスケジューリング周期内に、均一間隔で分布する四つの無線フレームにはＭＢＭＳデータ伝送用のサブフレームを含み、同時に、スケジューリング周期内の第１個の無線フレームはＭＢＭＳデータ伝送用のサブフレームを含み、各ＭＢＳＦＮ  ＲＦには三つのＭＢＭＳデータ伝送用のサブフレームを含み、サブフレームが具体的にビットマップで特定される。
【００１４】
上記のMBSFN-SubframeConfigurationの設置に基づき、対応するＭＳＡＰは図２のようになる。斜線が描かれたブロックは、ＭＢＭＳデータ伝送用のサブフレームを含む無線フレームを示し、菱形のブロックが描かれたブロックは、無線フレームの中、ＭＢＭＳデータ伝送に用いられるサブフレームを示し、矩形のブロックが描かれたブロックで示すサブフレームは、他用に定義されており、ＭＢＭＳデータの伝送に用いることができない。
【００１５】
以下、別の例でMBSFN-SubframeConfigurationの設置を説明する。
【００１６】
radioframeAllocationPeriod = n３２
radioframeAllocationOffset = ０
subframeAllocation = CHIOCE {fourFrames {１１１００１１…}}
上記設置から示されることとして、一つのスケジューリング周期内に、３２個の無線フレームにはＭＢＳＦＮサブフレームを含んでいる。スケジューリング周期内の第１個の無線フレームはＭＢＭＳデータ伝送用のサブフレームを含み、四つの無線フレーム毎に１７個のＭＢＭＳデータ伝送用のサブフレームを含む。
【００１７】
図３は、該１７個のＭＢＭＳデータ伝送用のサブフレームの、四つの無線フレームにおける位置を示している。
【００１８】
上記の例から分かるように、３ＧＰＰにおいて定義されたＭＳＡＰ指示方法により、シグナリングオーバヘッドを大幅に低減している。
【発明の概要】
【発明が解決しようとする課題】
【００１９】
しかし、発明者が本発明の実施例を実現する際に、従来技術には少なくとも下記の不足が存在することを発見している。
【００２０】
３ＧＰＰに定義されるＭＳＡＰ指示方法は、資源の無駄使いにつながることがある。次のように例示する。
【００２１】
仮にサービスの特徴に基づき、ＭＢＭＳデータ伝送用として１３７個のサブフレームをＭＣＨに割り当てる必要がある。しかし、ＳＩＢ２の制限を受け、１３６又は１４４個のサブフレームしか指示できない。上限原則に基づき、１４４個のサブフレームを指示することを選択するしかできない。しかし、１４４個のサブフーレムの指示を選択すると、明らかに７個のサブフレームを多めに指示している。多めに指示した７個のサブフレームは、有用データの伝送に用いることができず、明らかに資源を無駄使いしている。
【００２２】
本発明の目的は、資源指示方法及びエンハンスド基地局を提供し、資源の精確の指示を実現し、資源の利用効率を向上することである。
【課題を解決するための手段】
【００２３】
上記の目的を実現するために、本発明の実施例は、ＭＢＭＳのマルチセル伝送方式に用いる資源指示方法を提供している。該方法において、
ＭＢＭＳサービスの特徴に基づき、一スケジューリング周期内に上記ＭＢＭＳサービスに実際に必要されるサブフレームの数である第１の数を取得し、
ＭＳＡＰ指示方法で指示可能なサブフレームの数のうち上記第１の数以上の最小値である第２の数のＭＢＭＳデータ伝送用の初期サブフレームを指示するためのＭＳＡＰ指令を、上記第１の数に基づいて特定し、
上記第１の数が上記第２の数より小さいとき、上記第２の数と上記第１の数との差分である第３の数の過指示サブフレームを上記初期サブフレームの中から選択し、選択の結果に基づいて、上記過指示サブフレームの位置を指示する補正指令を生成し、
上記ＭＳＡＰ指令と補正指令を受信側に送信し、スケジューリング周期内に最終的にＭＢＭＳデータの伝送に用いられるサブフレームが上記初期サブフレームのうち上記過指示サブフレーム以外のサブフレームとなるように上記受信側に指示する。
【００２４】
上記資源指示方法において、上記補正指令は、ブロードキャストチャネル又はＭＣＣＨを介して上記受信側に送信される。
【００２５】
上記資源指示方法において、第３の数の過指示サブフレームを上記初期サブフレームの中から選択し、選択の結果に基づいて、上記過指示サブフレームの位置を指示する補正指令を生成することは、
第３の数の過指示サブフレームを上記初期サブフレームの中から任意に選択することと、
選択した過指示サブフレームの位置を特定することと、
各上記過指示サブフレームが位置する無線フレームの番号及び各上記過指示サブフレームの無線フレームにおける番号を含む第１の補正指令を生成することと、を含む。
【００２６】
上記資源指示方法において、第３の数の過指示サブフレームを上記初期サブフレームの中から選択し、選択の結果に基づいて、上記過指示サブフレームの位置を指示する補正指令を生成することは、
上記過指示サブフレームが連続的に分布している上記初期サブフレームの中から第３の数の過指示サブフレームを選択することと、
上記第３の数、第１個の過指示サブフレームが位置する無線フレームの番号である第１の番号、及び上記第１個の過指示サブフレームの無線フレームにおける番号である第２の番号を含む第４の補正指令を生成することと、を含む。
【００２７】
上記資源指示方法において、第３の数の過指示サブフレームを前記初期サブフレームの中から選択し、選択の結果に基づいて、前記過指示サブフレームの位置を指示する補正指令を生成することは、
第３の数のサブフレームを選択することと、第５の補正指令を生成することと、を含み、
第３の数のサブフレームを選択することは、第３の数のサブフレームを過指示サブフレームとして前記初期サブフレームの中から選択することであり、
該過指示サブフレームが、前記ＭＳＡＰ指令で指示する無線フレームのうち最後の第４の数個の無線フレームの中に分布し、各前記第４の数個の無線フレームの中には、前記初期サブフレームの最後の第５の数個のサブフレームが過指示サブフレームであり、前記第４の数と第５の数との積が第３の数であり、
第５の補正指令を生成することは、第４の数と第５の数とを含む第５の補正指令を生成することである。
【００２８】
上記資源指示方法において、第３の数の過指示サブフレームを上記初期サブフレームの中から選択し、選択の結果に基づいて、上記過指示サブフレームの位置を指示する補正指令を生成することは、
上記初期サブフレームの中から、後ろから前への順番又は前から後ろへの順番に従い第３の数のサブフレームを過指示サブフレームとして順に選択することと、
上記第３の数を含む第６の補正指令を生成することと、を含む。
【００２９】
上記の目的を実現するために、本発明の実施例は、ＭＢＭＳのマルチセル伝送方式に用いるエンハンスド基地局を提供している。該エンハンスド基地局において、
ＭＢＭＳサービスの特徴に基づき、一スケジューリング周期内に上記ＭＢＭＳサービスに実際に必要されるサブフレームの数である第１の数を取得する第１数特定モジュールと、
ＭＳＡＰ指示方法で指示可能なサブフレームの数のうち上記第１の数以上の最小値である第２の数のＭＢＭＳデータ伝送用の初期サブフレームを指示するためのＭＳＡＰ指令を、上記第１の数に基づいて特定する第１指令生成モジュールと、
上記第１の数が上記第２の数より小さいとき、上記第２の数と上記第１の数との差分である第３の数の過指示サブフレームを上記初期サブフレームの中から選択し、選択の結果に基づいて、上記過指示サブフレームの位置を指示する補正指令を生成する第２指令生成モジュールと、
上記ＭＳＡＰ指令と補正指令を受信側に送信し、スケジューリング周期内に最終的にＭＢＭＳデータの伝送に用いられるサブフレームが上記初期サブフレームのうち上記過指示サブフレーム以外のサブフレームとなるように上記受信側に指示する送信モジュールと、
上記初期サブフレームのうち上記過指示サブフレーム以外のサブフレームを利用して上記ＭＢＭＳサービスを処理するサービス処理モジュールと、を含む。
【００３０】
上記エンハンスド基地局において、上記補正指令は、ブロードキャストチャネル又はＭＣＣＨを介して上記受信側に送信される。
【００３１】
上記エンハンスド基地局において、上記第２指令生成モジュールは、
第３の数の過指示サブフレームを上記初期サブフレームの中から任意に選択する手段と、
選択した過指示サブフレームの位置を特定する手段と、
各上記過指示サブフレームが位置する無線フレームの番号及び各上記過指示サブフレームの無線フレームにおける番号を含む第１の補正指令を生成する手段と、を含む。
【００３２】
上記エンハンスド基地局において、上記第２指令生成モジュールは、
上記過指示サブフレームが連続的に分布している上記初期サブフレームの中から第３の数の過指示サブフレームを選択する手段と、
上記第３の数、第１個の過指示サブフレームが位置する無線フレームの番号である第１の番号、及び上記第１個の過指示サブフレームの無線フレームにおける番号である第２の番号を含む第４の補正指令を生成する手段と、を含む。
【００３３】
上記エンハンスド基地局において、上記第２指令生成モジュールは、
第３の数のサブフレームを過指示サブフレーム（該過指示サブフレームが、上記ＭＳＡＰ指令で指示する無線フレームのうち最後の第４の数個の無線フレームの中に分布し、各上記第４の数個の無線フレームの中には、上記初期サブフレームの最後の第５の数個のサブフレームが過指示サブフレームであり、上記第４の数と第５の数との積が第３の数である）として上記初期サブフレームの中から選択する手段と、
上記第４の数と第５の数とを含む第５の補正指令を生成する手段と、を含む。
【００３４】
上記エンハンスド基地局において、上記第２指令生成モジュールは、
上記初期サブフレームの中から、後ろから前への順番又は前から後ろへの順番に従い第３の数のサブフレームを過指示サブフレームとして順に選択する手段と、
上記第３の数を含む第６の補正指令を生成する手段と、を含む。
【発明の効果】
【００３５】
本発明の実施例は、下記の有益な効果を有する。
【００３６】
本発明の具体的な実施例において、従来技術に基づき、過指示サブフレームの位置情報を指示するための補正指令を配信し、受信側が補正指令を受信すると、ＭＳＡＰにより指示された、ＭＢＭＳデータ伝送用の初期サブフレームにおけるオーバー指示サブフレームを特定できるので、端末は過指示サブフレームにおいてデータを受信することはしなく、それにより必ず端末によるエネルギー消耗を低減させることができる。同時に、端末が過指示サブフレームからデータを受信しないため、該過指示サブフレームはユニキャストサービスデータの伝送に用いることができ、資源の利用効率を向上できる。
【図面の簡単な説明】
【００３７】
【図１】図１は、ＭＢＳＦＮの論理チャネル、伝送チャネル、物理的チャネルを示す図面である。
【図２】図２は、ＭＳＡＰにより指示されたサブフレームを示す図面である。
【図３】図３は、ＭＢＭＳデータ伝送用の１７個のサブフレームの、四つの無線フレームにおける位置を示す図面である。
【図４】図４は、本発明の実施例の資源指示方法を示す図面である。
【図５】図５は、本発明の実施例の基地局を示す図面である。
【発明を実施するための形態】
【００３８】
本発明の実施例の資源指示方法及びエンハンスド基地局は、ＭＢＭＳにおけるマルチセル伝送方式に用いるものであり、資源指示フィールドを配信し、無線フレームの中にＭＢＭＳデータ伝送用でないサブフレームを指示することにより、精確の指示を実現し、資源の利用効率を向上する。
【００３９】
３ＧＰＰ  Ｒ８の定義に準じると、ＭＢＭＳデータ伝送用に指示されるサブフレームの個数のすべては次のとおりとなる。
【表１】
0005490641.tif 000002
【００４０】
上記の表１に示すように、サブフレームアロットケーション域が一つの無線フレームである場合、定義に準じると、一スケジューリング周期ＳＰ（３２０ｍｓ）中に、１、２、４、８個のＭＢＭＳデータ伝送用の無線フレームＲＦを含むことができ、各無線フレームには、１〜６個のＭＢＭＳデータ伝送用のサブフレームを含むことが可能である。従って、ＭＢＭＳデータ伝送可能なサブフレームの数は、簡単に乗算すればよい。
【００４１】
一方、サブフレームアロットケーション域が四つの無線フレームである場合、定義に準じると、一スケジューリング周期ＳＰ（３２０ｍｓ）中に、１６、３２個のＭＢＭＳデータ伝送用の無線フレームＲＦを含むことができ、四つの無線フレームごとには、１〜２４個のＭＢＭＳデータ伝送用のサブフレームを含むことが可能である。従って、ＭＢＭＳデータ伝送可能なサブフレームの数は、簡単に乗算すればよい。
【００４２】
上記記載から分かるように、３ＧＰＰにおいて定義しているＭＳＡＰ指示方法により指示している、ＭＢＭＳデータ伝送用のサブフレームの数は、次のように非連続的である。
【００４３】
１、２、３、４、５、６、８、１０、１２、１６、２０、２４、３２、４０、…、１９２。
【００４４】
非連続的であるため、いったんサービスに実際に必要されるＭＢＭＳデータ伝送用のサブフレームの数が上記の集合内にはない場合、上限原則に準じると、集合から該実際の数より大きいものであって、該実際の数に最も近い数を選択して、該特定された数に対応するサブフレームの指示をユーザ設備に送信するしかできないので、過指示の問題が生じる。
【００４５】
上記集合から分かるように、隣り合う元素の間の差は８以下である。即ち、３ＧＰＰにおいて定義しているＭＳＡＰ指示方法に準じると、過指示サブフレームの数は７個以下である。
【００４６】
本発明の実施例の資源指示方法は、図４に示すように、次のステップ４１、４２、４３、４４を有する。
【００４７】
ステップ４１において、伝送しようとするＭＢＭＳサービスの特徴に基づき、一スケジューリング周期内に上記ＭＢＭＳサービスに実際に必要されるサブフレームの数である第１の数を取得する。
【００４８】
ステップ４２において、上記第１の数と３ＧＰＰにおいて定義しているＭＳＡＰ指示方法に基づいてＭＳＡＰ指令を生成する。上記ＭＳＡＰ指令は、一スケジューリング周期内に初歩的に特定された、ＭＢＭＳデータ伝送用の初期サブフレームの数（第２の数）と上記初期サブフレームの位置を指示するためのものである。上記第２の数は、上記ＭＳＡＰ指示方法で指示可能なサブフレームの数のうち上記第１の数以上の最小値である。
【００４９】
ステップ４３において、上記第１の数が上記第２の数と等しくしない場合、上記第２の数と上記第１の数との差分である第３の数の過指示サブフレームを上記初期サブフレームの中から選択し、選択の結果に基づいて、上記過指示サブフレームの位置を指示する補正指令を生成する。
【００５０】
ステップ４４において、上記ＭＳＡＰ指令と補正指令をユーザ端末に送信し、上記スケジューリング周期内に最終的にＭＢＭＳデータの伝送に用いられるサブフレームが上記初期サブフレームのうち上記過指示サブフレーム以外のサブフレームとなるようにユーザ端末に指示する。
【００５１】
最終的には、基地局が、上記最終的にＭＢＭＳデータの伝送に用いられるサブフレームを利用して、上記伝送しようとするＭＢＭＳサービスを処理する。
【００５２】
本発明の実施例のエンハンスド基地局は、図５に示すように、以下の第１数特定モジュールと、ＭＳＡＰ指令生成モジュールと、補正モジュールと、送信モジュールと、サービス処理モジュールとを有する。
【００５３】
第１数特定モジュールは、伝送しようとするＭＢＭＳサービスの特徴に基づき、一スケジューリング周期内に上記ＭＢＭＳサービスに実際に必要されるサブフレームの数である第１の数を取得する。
【００５４】
ＭＳＡＰ指令生成モジュールは、上記第１の数と３ＧＰＰにおいて定義しているＭＳＡＰ指示方法に基づいてＭＳＡＰ指令を生成する。上記ＭＳＡＰ指令は、一スケジューリング周期内に初歩的に特定された、ＭＢＭＳデータ伝送用の初期サブフレームの数（第２の数）と上記初期サブフレームの位置を指示するためのものである。上記第２の数は、上記ＭＳＡＰ指示方法で指示可能なサブフレームの数のうち上記第１の数以上の最小値である。
【００５５】
補正モジュールは、上記第１の数が上記第２の数と等しくしない場合、上記第２の数と上記第１の数との差分である第３の数の過指示サブフレームを上記初期サブフレームの中から選択し、選択の結果に基づいて、上記過指示サブフレームの位置を指示する補正指令を生成する。
【００５６】
送信モジュールは、上記ＭＳＡＰ指令と補正指令をユーザ端末に送信し、上記スケジューリング周期内に最終的にＭＢＭＳデータの伝送に用いられるサブフレームが上記初期サブフレームのうち上記過指示サブフレーム以外のサブフレームとなるようにユーザ端末に指示する。
【００５７】
サービス処理モジュールは、上記最終的にＭＢＭＳデータの伝送に用いられるサブフレームを利用して、上記伝送しようとするＭＢＭＳサービスを処理する。
【００５８】
以下、補正モジュールが具体的どのように実現するかについて詳しく説明する。
【００５９】
＜第１実施形態＞
第１実施形態において、補正モジュールは、第３の数の過指示サブフレームを任意に選択する。具体的には第１の選択手段、位置特定手段及び第１指令生成手段を含む。
【００６０】
第１の選択手段は、第３の数の過指示サブフレームを上記初期サブフレームの中から任意に選択する。
【００６１】
位置特定手段は、選択した過指示サブフレームの位置を特定する。
【００６２】
第１指令生成手段は、各上記過指示サブフレームが位置する無線フレームの番号及び各上記過指示サブフレーム自身の無線フレームにおける番号を含む第１の補正指令を生成する。
【００６３】
最多で７個のサブフレームしかないことを考慮し、サブフレームの位置は次の両方面の情報が含まれる。
【００６４】
サブフレームが位置する無線フレームの番号：サブフレームが位置する無線フレームの位置を示す。
【００６５】
サブフレーム自身の番号：サブフレームの無線フレームにおける位置を示す。
【００６６】
従来の規定に準じると、一スケジューリング周期は３２個の無線フレームを含み、各無線フレームには１０個のサブフレームを含むため、一つのサブフレームに対して精確の指示をするには、５ｂｉｔｓによってサブフレームが位置する無線フレームの番号を指示し（第１個の無線フレームの番号が０である）、４ｂｉｔｓによってサブフレームの無線フレームにおける位置を指示し、つまり、一つのサブフレームの位置を指定するには９ｂｉｔｓが必要となる。
【００６７】
従って、第１実施形態では、任意に指定された第３の数の過指示サブフレームの位置を最多で６３ｂｉｔｓで指示する必要がある。
【００６８】
次のように例示する。
【００６９】
現在のサービスに実際に必要されるサブフレームの数が４５とし、特定されたＭＳＡＰが下記であると仮定する。
【００７０】
radioframeAllocationPeriod = n４
radioframeAllocationOffset = ０,  
subframeAllocation = CHIOCE {oneFrame {１１１１１１}}
過指示サブフレームが３個存在するため、選択した過指示サブフレームは、第１個の無線フレームにおける第２個のサブフレーム、第５個の無線フレームにおける第３個のサブフレーム、第２９個の無線フレームにおける第４個のサブフレームであると仮定する。
【００７１】
すると、第１実施形態に準じると、第１の補正指令は、下記の格式であってもよい。
【００７２】
０００００  ００１０  ００１００  ００１１  １１１００  ０１００
受信側は、まず５個のＢｉｔを選択して第１個の過指示サブフレームが位置する無線フレームの番号を特定し、それから４個のＢｉｔを選択して第１個の過指示サブフレームの無線フレームにおける番号を特定することができる。これに準じて類推すると、すべての過指示サブフレームを特定することができる。
【００７３】
もちろん、上記の情報がどのように排列するかについて、双方で協商すればよいのであって、次の順番であってもよい。
【００７４】
０００００  ００１００  １１１００  ００１０ ００１１  ０１００
受信側は、前から１５個のＢｉｔを選択して第１、第２、第３個の過指示サブフレームが位置する無線フレームの番号を特定し、それから後ろから１２個のＢｉｔを選択して第１、第２、第３個の過指示サブフレームの無線フレームにおける番号を特定することができる。上記２つの情報により過指示サブフレームを特定することができる。
【００７５】
＜第２実施形態＞
第１実施形態では、最多で６３ｂｉｔｓで過指示サブフレームの位置情報を指示する必要があるが、補正指令の長さを短くするために、補正モジュールの第２の実施形態を提案する。
【００７６】
第２実施形態では、補正モジュールは、具体的に、第２の選択手段、第２指令生成手段を含む。
【００７７】
第２の選択手段は、上記初期サブフレームの中から第３の数のサブフレームを過指示サブフレームとして選択する。すべての上記過指示サブフレームは無線フレームにおける番号が同じである（一つの無線フレームには一つの過指示サブフレームしかないことを示す）。
【００７８】
第２指令生成手段は、第２の補正指令を生成する。上記第２の補正指令は、一つの無線フレームにおける番号及び各上記過指示サブフレームが位置する無線フレームの番号を含む。
【００７９】
従って、第２実施形態では、過指示サブフレームの位置を指示するには、最多で次の数のＢｉｔが必要である。
【００８０】
過指示サブフレームの無線フレームにおける番号：一つの無線フレームには１０個のサブフレームを含み、すべての過指示サブフレームには同一の番号を有するため、該部分を指示するには、４ｂｉｔｓしか必要しない。
【００８１】
過指示サブフレームが位置する無線フレームの番号：一スケジューリング周期には３２個の無線フレームを含むため、各過指示サブフレームが位置する無線フレームの番号を指示するには５ｂｉｔｓが必要である。
【００８２】
従って、最多で４＋５*７＝３９ｂｉｔｓが必要である。
【００８３】
最多で６３ｂｉｔｓが必要であるという第１実施形態と比較すると、補正指令の長さが短くなっている。
【００８４】
次のように例示する。
【００８５】
現在のサービスに実際に必要されるサブフレームの数が４５とし、特定されたＭＳＡＰが下記であると仮定する。
【００８６】
radioframeAllocationPeriod = n４
radioframeAllocationOffset = ０,  
subframeAllocation = CHIOCE {oneFrame {１１１１１１}}
過指示サブフレームが３個存在するため、選択した過指示サブフレームは、第１個の無線フレームにおける第２個のサブフレーム、第５個の無線フレームにおける第２個のサブフレーム、第２９個の無線フレームにおける第２個のサブフレームであると仮定する。
【００８７】
すると、第２実施形態二に準じると、第２の補正指令は、下記の格式であってもよい。
【００８８】
００１０  ０００００  ００１００  １１１００
受信側は、まず４個のＢｉｔを選択して過指示サブフレームの無線フレームにおける番号を２と特定し、それから５個のＢｉｔを選択して第１個の過指示サブフレームが位置する無線フレームの番号を１と特定し、更に５個のＢｉｔを選択して第２個の過指示サブフレームが位置する無線フレームの番号を５と特定し、最後に５個のＢｉｔを選択して第３個の過指示サブフレームが位置する無線フレームの番号を２９と特定することにより、すべての過指示サブフレームを特定することができた。
【００８９】
もちろん、次の順番であってもよい。
【００９０】
０００００  ００１００  １１１００  ００１０
＜第３実施形態＞
第２実施形態では、最多で３９ｂｉｔｓで過指示サブフレームの位置情報を指示する必要があるが、補正指令の長さを更に短くするために、補正モジュールの第３の実施形態を提案する。
【００９１】
第３実施形態では、補正モジュールは、具体的に、第３の選択手段、第３指令生成手段を含む。
【００９２】
第３の選択手段は、上記初期サブフレームの中から第３の数のサブフレームを選択して過指示サブフレームとする。上記過指示サブフレームは、位置する無線フレームの初期サブフレームのうち最後の一つである。
【００９３】
第３指令生成手段は、第３の補正指令を生成する。上記第３の補正指令は、各上記過指示サブフレームが位置する無線フレームの番号を含む。
【００９４】
次のように例示する。
【００９５】
ＭＳＡＰにおいて、subframeAllocation = CHIOCE {oneFrame {１１１１１１}}の場合、各過指示サブフレームはいずれも無線フレームの第９個のサブフレームである。
【００９６】
ＭＳＡＰにおいて、subframeAllocation = CHIOCE {oneFrame {１１１１００}}の場合、各過指示サブフレームはいずれも無線フレームの第７個のサブフレームである。
【００９７】
ＭＳＡＰにおいて、subframeAllocation = CHIOCE {oneFrame {１１１１０１}}の場合、各過指示サブフレームはいずれも無線フレームの第９個のサブフレームである。
【００９８】
通信する両側がともに補正指令の意味を理解している場合、最後のＭＢＭＳデータ伝送に用いられるサブフレームを過指示サブフレームに指定するため、該過指示サブフレームの番号を相手に通知する必要がない。従って、第２実施形態と比較し、４ｂｉｔｓ減少しており、最多で３５ｂｉｔｓで過指示サブフレームの位置情報を指示する必要がある。
【００９９】
もちろん、無線フレームの、ＭＢＭＳデータ伝送用のサブフレームのうちの第１個を過指示サブフレームとすることもできる。
【０１００】
次のように例示する。
【０１０１】
現在のサービスに実際に必要されるサブフレームの数が４５とし、特定されたＭＳＡＰが下記であると仮定する。
【０１０２】
radioframeAllocationPeriod = n４
radioframeAllocationOffset = ０,  
subframeAllocation = CHIOCE {oneFrame {１１１１１１}}
過指示サブフレームが３個存在し、無線フレームの第２、３、４、７、８、９個のサブフレームがＭＢＭＳデータ伝送に用いられるため、第３実施形態に準じると、選択した過指示サブフレームは、第１個の無線フレームの第９個のサブフレーム、第５個の無線フレームの第９個のサブフレーム、第２９個の無線フレームの第９個のサブフレームとなる。
【０１０３】
第３実施形態に準じると、第３の補正指令は、下記のようになる。
【０１０４】
０００００  ００１００  １１１００
受信側は、５個のＢｉｔを選択して第１の過指示サブフレームが位置する無線フレームの番号を１と特定し、それから５個のＢｉｔを選択して第２個の過指示サブフレームが位置する無線フレームの番号を５と特定し、最後に５個のＢｉｔにより第３個の過指示サブフレームが位置する無線フレームの番号を２９と特定する。無線フレームを特定した後、これらの無線フレームの最後のサブフレームを過指示サブフレームに特定する。
【０１０５】
＜第４実施形態＞
補正指令の長さを更に短くするために、第４実施形態では、補正モジュールは、具体的に、第４の選択手段、第４指令生成手段を含む。
【０１０６】
第４の選択手段は、上記過指示サブフレームが連続的に分布している上記初期サブフレームの中から第３の数の過指示サブフレームを選択する。
【０１０７】
第４指令生成手段は、第４の補正指令を生成する。上記第４の補正指令は、上記第３の数、第１個または最後の上記過指示サブフレーム自身の番号及び位置する無線フレームの番号を含む。
【０１０８】
ＭＳＡＰに準じれば、初歩的に特定されたＭＢＭＳデータ伝送用の初期サブフレームの数及び上記初期サブフレームの位置が分かり、且つ過指示サブフレームが連続的に分布しているため、第１個のサブフレーム又は最後のサブフレーム自身の番号及び位置する無線フレームの番号を知ると、受信側は、簡単な演算により、すべての過指示サブフレームの具体的な位置を特定することができる。
【０１０９】
第４実施形態では、最多で３（上記第３の数）＋５（第１個又は最後の上記過指示サブフレームが位置する無線フレームの番号指示用）＋４（第１個又は最後の上記過指示サブフレーム自身番号指示用）＝１２ｂｉｔｓで過指示サブフレームの位置情報を指示する必要がある。
【０１１０】
過指示サブフレームのうち第１個のサブフレームが位置する無線フレームの番号及び過指示サブフレームのうち第１個のサブフレーム自身の番号を含むことを例として下記のように説明する。
【０１１１】
現在のサービスに実際に必要されるサブフレームの数が４５とし、特定されたＭＳＡＰが下記であると仮定する。
【０１１２】
radioframeAllocationPeriod = n４
radioframeAllocationOffset = ０,  
subframeAllocation = CHIOCE {oneFrame {１１１１１１}}
過指示サブフレームが３個存在するため、第４実施形態に準じ、選択した過指示サブフレームは、第１個の無線フレームにおける第９個のサブフレーム、第５個の無線フレームにおける第２個のサブフレーム、第５個の無線フレームにおける第３個のサブフレームであると仮定する。
【０１１３】
第４実施形態に準じると、第４の補正指令は、下記のようになる。
【０１１４】
０１１  ０００００  １００１
受信側は、３個のＢｉｔを選択して過指示サブフレームの数を３と特定し、更に続く０００００により、第１の過指示サブフレームが第１個の無線フレームに位置し、且つ無線フレームにおける番号が９（１００１）であると特定する。第１の過指示サブフレームを特定すると、過指示サブフレームの数が既知であり且つ連続的に分布するため、すべての過指示サブフレームを特定することができる。
【０１１５】
＜第５実施形態＞
補正指令の長さを更に短くするために、第５実施形態では、補正モジュールは、具体的に、第５の選択手段、第５指令生成手段を含む。
【０１１６】
第５の選択手段は、第３の数のサブフレームを過指示サブフレームとして上記初期サブフレームの中から選択する。過指示サブフレームが分布している無線フレームは、ＭＳＡＰに指示されているＭＢＭＳデータ伝送用の無線フレームのうち最後の第４の数の無線フレームである（過指示サブフレームが、上記ＭＳＡＰ指令で指示する無線フレームのうち最後の第４の数個の無線フレームの中に分布する）。上記第１の無線フレームのＭＢＭＳデータ伝送用のサブフレームのうち最後の第５の数のサブフレームは過指示サブフレームである（各上記第４の数個の無線フレームの中には、上記初期サブフレームの最後の第５の数個のサブフレームが過指示サブフレームである）。上記第４の数と第５の数との積が第３の数である。
【０１１７】
第５指令生成手段は、上記第４の数と第５の数とを含む第５の補正指令を生成する。
【０１１８】
第５実施形態では、最多で３（第４の数指示用）＋３（第５の数指示用）＝６ｂｉｔｓで過指示サブフレームの位置情報を指示する必要がある。
【０１１９】
現在のサービスに実際に必要されるサブフレームの数が４５とし、特定されたＭＳＡＰが下記であると仮定する。
【０１２０】
radioframeAllocationPeriod = n４
radioframeAllocationOffset = ０,  
subframeAllocation = CHIOCE {oneFrame {１１１１１１}}
過指示サブフレームが３個存在するため、第５実施形態に準じ、選択した過指示サブフレームは、第２１個の無線フレームにおける第９個のサブフレーム、第２５個の無線フレームにおける第９個のサブフレーム、第２９個の無線フレームにおける第９個のサブフレームである。
【０１２１】
第５実施形態に準じると、第５の補正指令は、下記のようになる。
【０１２２】
０１１  ００１
受信側は、０１１を選択して、ＭＳＡＰで指示するＭＢＭＳデータ伝送用無線フレームのうち最後の３個の無線フレームに過指示サブフレームが存在していると特定し、００１を選択して、過指示サブフレームが存在している各無線フレームのうち、ＭＢＭＳデータ伝送用のサブフレームの最後の一つが過指示サブフレームであると特定する。ここまで、すべての過指示サブフレームを特定することができる。
【０１２３】
現在のサービスに実際に必要されるサブフレームの数が４２とし、特定されたＭＳＡＰが下記であると仮定する。
【０１２４】
radioframeAllocationPeriod = n４
radioframeAllocationOffset = ０,  
subframeAllocation = CHIOCE {oneFrame {１１１１１１}}
過指示サブフレームが６個存在するため、第５実施形態に準じ、選択した過指示サブフレームは、第２１個の無線フレームにおける第８、９個のサブフレーム、第２５個の無線フレームにおける第８、９個のサブフレーム、第２９個の無線フレームにおける第８、９個のサブフレームである。
【０１２５】
第５実施形態に準じると、第５の補正指令は、下記のようになる。
【０１２６】
０１１  ０１０
受信側は、０１１を選択して、ＭＳＡＰで指示するＭＢＭＳデータ伝送用無線フレームのうち最後の３個の無線フレームに過指示サブフレームが存在していると特定し、０１０を選択して、過指示サブフレームが存在している各無線フレームのうち、ＭＢＭＳデータ伝送用のサブフレームの最後の二つが過指示サブフレームであると特定する。ここまで、すべての過指示サブフレームを特定することができる。
【０１２７】
＜第６実施形態＞
補正指令の長さを更に短くするために、第６実施形態では、補正モジュールは、具体的に、第６の選択手段、第６指令生成手段を含む。
【０１２８】
第６の選択手段は、上記初期サブフレームの中から、後ろから前への順番又は前から後ろへの順番に従い第３の数のサブフレームを過指示サブフレームとして順に選択する。
【０１２９】
第６指令生成手段は、上記第３の数を含む第６の補正指令を生成する。
【０１３０】
ＭＳＡＰに準じれば、初歩的に特定されたＭＢＭＳデータ伝送用の初期サブフレームの数及び上記初期サブフレームの位置が分かり、且つ過指示サブフレームが最後又は最初のサブフレームであることを考慮し、受信側は、簡単な演算をすれば、すべての過指示サブフレームの具体的な位置を特定することができる。
【０１３１】
第６実施形態では、固定で３ｂｉｔｓで上記過指示サブフレームの位置を指示する必要がある。
【０１３２】
過指示サブフレームが初期サブフレームのうち最初の第３の数のサブフレームであることを例として下記のように説明する。
【０１３３】
現在のサービスに実際に必要されるサブフレームの数が４５とし、特定されたＭＳＡＰが下記であると仮定する。
【０１３４】
radioframeAllocationPeriod = n４
radioframeAllocationOffset = ０,  
subframeAllocation = CHIOCE {oneFrame {１１１１１１}}
過指示サブフレームが３個存在するため、第１個の無線フレームにおける第２個のサブフレーム、第１個の無線フレームにおける第３個のサブフレーム、第１個の無線フレームにおける第４個のサブフレームに指定する。
【０１３５】
第６実施形態六に準じると、第６の補正指令は、下記のようになる。
【０１３６】
０１１
受信側は、３個のＢｉｔを選択して過指示サブフレームの数を特定した後、初期サブフレームの前から３個のサブフレーム、即ち第１個の無線フレームの第２、３、４個のサブフレームを過指示サブフレームに特定する。
【０１３７】
以上、補正モジュールの６種類の具体的な実施形態を列挙したが、過指示サブフレームの位置を指示可能な方式は他にもあり、ここでは逐一に説明しない。
【０１３８】
上記の第１実施形態、第２実施形態、第４実施形態では、補正指令が過指示サブフレームの無線フレームにおける番号に係る。上記の第１実施形態、第２実施形態、第４実施形態では、過指示サブフレームの無線フレームにおける番号により位置を指示するため、一つの無線フレームには１０個のサブフレームを含むので、指示をするには４ｂｉｔｓが必要である。
【０１３９】
一つの無線フレームのうち最多で６個のサブフレームしかＭＢＭＳデータ伝送に用いられないことを考慮し、上記の第１実施形態、第２実施形態、第４実施形態では、過指示サブフレームの、無線フレームの中にＭＢＭＳデータ伝送可能なサブフレームにおける番号により位置を指示することもできる。無線フレームには最多で６個のサブフレームがＭＢＭＳデータ伝送に用いられるため、指示をするには３ｂｉｔｓしか必要しない。
【０１４０】
また、上記６種類の方式は、subframeAllocation = CHIOCE {oneFrame {……}}をもって説明をしているが、同様にsubframeAllocation = CHIOCE {fourFrame {……}}の場合にも適用し、もちろん、今後のありうるsubframeAllocationにも適用することが理解されよう。
【０１４１】
本発明の具体的な実施例において、従来技術に基づき、過指示サブフレームの位置情報を指示するための補正指令を配信し、受信側が補正指令を受信すると、ＭＳＡＰにより指示された、ＭＢＭＳデータ伝送用の初期サブフレームにおけるオーバー指示サブフレームを特定できる。本発明の具体的な実施例は、下記の有益な効果を有する。
【０１４２】
まず、端末は過指示サブフレームにおいてデータを受信することはしないため、それにより必ず端末によるエネルギー消耗を低減させることができる。
【０１４３】
それに、端末が過指示サブフレームからデータを受信しないため、該過指示サブフレームはユニキャストサービスデータの伝送に用いることができ、資源の利用効率を向上できる。
【０１４４】
過指示サブフレームは３個あり、帯域幅は１０ＭＨｚ、スペクトル効率は５ｂｐｓ／Ｈｚとすると、該３個の過指示サブフレームによりもたらす資源のゲインは、１０ＭＨｚ×５ｂｐｓ／Ｈｚ×３／３２０＝０．４７Ｍｂｐｓとなる。
【０１４５】
上記の補正指令は、ＢＣＣＨのＳＩＢによりベアラーすることができる。もちろん、補正指令をベアラーするＳＩＢには、補正指令の伝送に用いる充分な未定義バイトを有することが前提となる。該補正指令は、ＭＣＣＨにより伝送することもできる。
【０１４６】
第１実施形態の例に準じると、第１の補正指令は、次のような格式となる。
【０１４７】
０００００  ００１  ００１００  １１１００  ００１１
ただし、ここの００１、０１０、０１１は、無線フレームの中にＭＢＭＳデータ伝送に利用可能なサブフレームのうち第１個、第２個、第３個のサブフレームを示す。無線フレームの第１個のサブフレームがＭＢＭＳデータ伝送に用いられないことを考慮し、全体的な無線フレームにとって、第２個、第３個、第４個のサブフレームを示す。
【０１４８】
以上は、本発明の好ましい実施方式に過ぎない。なお、当該分野の一般技術者にとって、本発明の原理を背離しない前提で、若干の改進や修飾が考えられる。ただし、これらの改進や修飾も本発明の保護範囲にあることが理解されよう。
【図１】
0005490641.tif 000003
【図２】
0005490641.tif 000004
【図３】
0005490641.tif 000005
【図４】
0005490641.tif 000006
【図５】
0005490641.tif 000007